(57)【要約】      （修正有）【課題】全体的な製造時間を低減させる事ができる（複数の）３次元の物体を付加製造する装置を動作させる方法の提供。【解決手段】エネルギービーム１２によって固化する事ができる造形材料の層６を連続して層ごとに選択的に照射及び固化する事によって３次元の物体２乃至５を付加製造する少なくとも１つの装置１を動作させる方法が提供され、少なくとも１つの物体２乃至５は、造形平面１３内で物体２乃至５の層６を連続して照射する事によって造形されており、物体２乃至５の少なくとも１つの層６の少なくとも１つの部分は、第１のエネルギービーム１２により照射されるように割り当てられ、物体２乃至５の少なくとも１つの層６の少なくとも１つの他の部分は、別のエネルギービーム１２によって照射されるように割り当てられ、層６の部分は、ハフマン符号化に基づいて、少なくとも２つのエネルギービーム１２の内の１つにより照射されるように割り当てられる。【選択図】図１
2019077943.tif 000002
【特許請求の範囲】
【請求項１】
エネルギービーム（１２）によって固化することができる造形材料の層（６）を連続して層ごとに選択的に照射及び固化することによって３次元の物体（２〜５）を付加製造する少なくとも１つの装置（１）を動作させる方法であって、少なくとも１つの物体（２〜５）が、造形平面（１３）内で前記物体（２〜５）の層（６）を連続して照射することによって造形されており、前記物体（２〜５）の少なくとも１つの層（６）の少なくとも１つの部分（１６〜３１）が、第１のエネルギービーム（１２）によって照射されるように割り当てられ、前記物体（２〜５）の少なくとも１つの層（６）の少なくとも１つの他の部分（１６〜３１）が、別のエネルギービーム（１２）によって照射されるように割り当てられる方法において、層（６）の前記部分（１６〜３１）が、ハフマン符号化に基づいて、前記少なくとも２つのエネルギービーム（１２）のうちの１つによって照射されるように割り当てられることを特徴とする方法。
【請求項２】
ハフマン木（１４）が生成され、照射すべき層（６）の少なくとも２つの部分（１６〜３１）が、前記それぞれの部分（１６〜３１）を照射するために必要とされる判定された書き出し時間、特に推定されるか又は計算された書き出し時間に応じて、前記ハフマン木（１４）の異なるノード及び／又は異なる部分木（３２〜４３）に分類されることを特徴とする、請求項１に記載の方法。
【請求項３】
前記ハフマン木（１４）は、
−  前記少なくとも１つの物体（２〜５）の層（６）の少なくとも２つの部分（１６〜３１）に対する書き出し時間を判定するステップと、
−  前記判定された書き出し時間に応じて、前記ハフマン木（１４）内の照射すべき層（６）の前記部分（１６〜３１）を分類するステップであって、照射すべき層（６）の各部分（１６〜３１）が、前記ハフマン木（１４）内で葉（１５）を形成し、各葉（１５）が、少なくとも１つのノードを介して前記ハフマン木（１４）の根に接続されるステップと、
−  前記ノード及び／又は葉（１５）を部分木（３２〜４３）にグループ化するステップであって、最低の書き出し時間を有する前記葉（１５）を含むそれぞれ２つのノードが、部分木（３２〜４３）にグループ化されるステップと、
−  １つの木だけが残るまで、前記ノード及び／又は葉（１５）を部分木（３２〜４３）にグループ化するステップと、によって生成されることを特徴とする、請求項１又は２に記載の方法。
【請求項４】
前記ハフマン木（１４）が、特に同じ層のノードで部分木（３２〜４３）に分割され、部分木（３２〜４３）の数が、エネルギービーム（１２）の数に等しいことを特徴とする、請求項１〜３のいずれか一つに記載の方法。
【請求項５】
第１の物体（２〜５）及び少なくとも１つの他の物体（２〜５）の層（６）の前記それぞれの部分（１６〜３１）が、前記割り当てられたエネルギービーム（１２）によって単独で照射されることを特徴とする、請求項１〜４のいずれか一つに記載の方法。
【請求項６】
前記第１の物体（２〜５）のすべての部分（１６〜３１）は、前記第１のエネルギービーム（１２）によって照射されるように全体として割り当てられ、前記少なくとも１つの他の物体（２〜５）のすべての部分（１６〜３１）は、前記少なくとも１つの他のエネルギービーム（１２）によって照射されるように全体として割り当てられることを特徴とする、請求項５に記載の方法。
【請求項７】
製造プロセス中に造形すべき複数の物体（２〜５）を有し、単一部分（１６〜３１）又は物体（２〜５）全体が、総製造時間が最小になるように、エネルギービーム（１２）によって照射されるように割り当てられることを特徴とする、請求項１〜６のいずれか一つに記載の方法。
【請求項８】
前記層（６）又は前記物体（２〜５）の前記部分（１６〜３１）の製造時間が判定され、それによって前記それぞれのエネルギービーム（１２）への部分（１６〜３１）又は物体（２〜５）の前記割当てが、前記総製造時間が最小になるように実行されることを特徴とする、請求項７に記載の方法。
【請求項９】
前記それぞれのエネルギービーム（１２）への部分（１６〜３１）又は物体（２〜５）の前記割当てが、少なくとも１つのアルゴリズム、特に局所探索アルゴリズムを使用して最適化されることを特徴とする、請求項１〜８のいずれか一つに記載の方法。
【請求項１０】
物体（２〜５）の部分（１６〜３１）が、前記それぞれの部分（１６〜３１）を照射することが可能なエネルギービーム（１２）によって照射されるように割り当てられることを特徴とする、請求項１〜９のいずれか一つに記載の方法。
【請求項１１】
少なくとも１つの３次元の物体（２〜５）の少なくとも１つの層（６）の少なくとも２つの部分（１６〜３１）を、エネルギービーム（１２）によって固化することができる造形材料の前記層（６）を連続して層ごとに選択的に照射及び固化することによって付加製造されるように割り当てる方法であって、少なくとも１つの物体（２〜５）が、造形平面（１３）内で前記物体（２〜５）の層（６）を連続して照射することによって造形されており、前記物体（２〜５）の少なくとも１つの層（６）の少なくとも１つの部分（１６〜３１）が、第１のエネルギービーム（１２）によって照射されるように割り当てられ、前記物体（２〜５）の少なくとも１つの層（６）の少なくとも１つの他の部分（１６〜３１）が、別のエネルギービーム（１２）によって照射されるように割り当てられる方法において、層（６）の前記部分（１６〜３１）が、ハフマン符号化に基づいて、前記少なくとも２つのエネルギービーム（１２）のうちの１つによって照射されるように割り当てられることを特徴とする方法。
【請求項１２】
前記方法が、請求項１〜１０のいずれか一つに記載の３次元の物体（２〜５）を付加製造する少なくとも１つの装置（１）を動作させる方法に関連して実行されることを特徴とする、請求項１１に記載の方法。
【請求項１３】
エネルギービーム（１２）によって固化することができる造形材料の層（６）を連続して層ごとに選択的に照射及び固化することによって３次元の物体（２〜５）を付加製造する装置（１）であって、造形平面（１３）内で前記物体（２〜５）の層（６）を連続して照射することによって少なくとも１つの物体（２〜５）を製造するために、少なくとも２つのエネルギービーム（１２）を生成するように構成された少なくとも１つのビーム生成ユニット（８〜１１）を備えるか又はそれぞれ少なくとも１つのエネルギービーム（１２）を生成するように構成された少なくとも２つのビーム生成ユニット（８〜１１）を備え、前記物体（２〜５）の少なくとも１つの層（６）の少なくとも１つの部分（１６〜３１）が、第１のエネルギービーム（１２）によって照射されるように割り当てられ、前記物体（２〜５）の少なくとも１つの層（６）の少なくとも１つの他の部分（１６〜３１）が、別のエネルギービーム（１２）によって照射されるように割り当てられる装置（１）において、ハフマン符号化に基づいて前記部分（１６〜３１）を前記少なくとも２つのエネルギービーム（１２）に割り当てるように構成された制御ユニット（４４）を有することを特徴とする装置（１）。
【請求項１４】
請求項１〜１２のいずれか一つに記載の方法を実行するように構成されることを特徴とする、請求項１３に記載の装置（１）。
【発明の詳細な説明】
【技術分野】
【０００１】
本発明は、エネルギービームによって固化することができる造形材料の層を連続して層ごとに選択的に照射及び固化することによって３次元の物体を付加製造（積層造形）する少なくとも１つの装置を動作させる方法に関し、少なくとも１つの物体が、造形平面内で物体の層を連続して照射することによって造形されており、この物体の層の少なくとも１つの部分は、第１のエネルギービームによって照射されるように割り当てられ、この物体の層の少なくとも１つの他の部分は、別のエネルギービームによって照射されるように割り当てられる。
【背景技術】
【０００２】
付加製造装置を動作させるそのような方法は、概して、従来技術で知られている。前記装置は、たとえば２つ以上のビーム源を設けることによって、且つ／又は生成されたエネルギービームを少なくとも２つのサブビームに分割することによって、２つ以上のエネルギービームを生成するように適合することができる。これら少なくとも２つのエネルギービームを使用して、造形平面内で造形材料を特に同時に照射し、それにより１つのエネルギービームだけを使用したときに比べて、総製造時間を低減させることができる。
【０００３】
典型的には、使用者は、各物体のどの層又は各物体の層のどの部分がどのエネルギービームによって照射されるかを決定し、手動で割り当てる。たとえば、２つ以上の物体が同じ製造プロセスで造形される場合、たとえば少なくとも２つの物体が同じ造形平面上で造形される場合、使用者は、各物体を１つのビーム源に、すなわち１つのエネルギービームによって照射されるように割り当てる。複数の異なる物体を造形すべき製造プロセスに関して、この手法では、エネルギービーム間の作業負荷、すなわち書き出し時間の配分が不均一になる可能性がある。特に、これらの物体が、特にその形状及び／又は横断面及び／又は寸法に関して異なる場合、物体全体が単一エネルギービームに割り当てられたとき、それぞれ選択された作業負荷又は負荷配分が等しくなくなり、このように照射時間が不均一に配分されると、エネルギービームのうちの１つに割り当てられた１つの物体（又は層の少なくとも１つの部分）がすでに完成しても、少なくとも１つの他の物体（又は層の少なくとも１つの部分）がまだ終了しないため、単一エネルギービームの休止時間及び全体的な製造時間の増大を招く。
【０００４】
さらに、特に複雑な形状の物体及び／又は複数の物体及び／又は異なる物体に関して、様々な物体の層（又はその部分）を手動で割り当てるには労力及び時間がかかる。加えて、使用者は、個々の物体若しくは個々の層又はその個々の部分に必要とされる書き出し時間を大まかに推定することしかできないため、上述した手法を使用して、製造時間の全体的な最小値を見つけるのは困難である。加えて、物体１つ当たりの作業負荷は、層ごとに変化する可能性がある。
【発明の概要】
【発明が解決しようとする課題】
【０００５】
したがって、本発明の目的は、全体的な製造時間を低減させることができる（複数の）３次元の物体を付加製造する装置を動作させる方法を提供することである。
【課題を解決するための手段】
【０００６】
この目的は、請求項１に記載の方法によって本発明で実現される。本発明の有利な実施形態は、従属請求項に準拠する。
【０００７】
本明細書に記載する方法は、エネルギービームによって固化することができる粉末状の造形材料（「造形材料」）の層を連続して層ごとに選択的に照射及び固化することによって３次元の物体、たとえば技術的構成要素を付加製造する装置上で実行するのに適している。それぞれの造形材料は、金属、セラミック、又はポリマーの粉末とすることができる。それぞれのエネルギービームは、レーザビーム又は電子ビームとすることができる。それぞれの装置は、たとえば、選択的レーザ焼結装置、選択的レーザ溶融装置、又は選択的電子ビーム溶融装置とすることができる。
【０００８】
それぞれの装置は、その動作中に使用される複数の機能ユニットを備えることができる。例示的な機能ユニットには、プロセスチャンバや、プロセスチャンバ内に配置された造形材料層を少なくとも１つのエネルギービームで選択的に照射するように構成された照射デバイスや、及び所与の流れ特性、たとえば所与の流れプロファイル、流速などでプロセスチャンバを通って少なくとも部分的に流れるガス状流体流を生成するように構成された流れ生成デバイスが挙げられる。ガス状流体流は、プロセスチャンバを通って流れる間に、固化されていない粒状の造形材料、特に装置の動作中に生成される煙又は煙残留物を充填することが可能である。ガス状流体流は、典型的には不活性であり、すなわち典型的には、不活性ガス、たとえばアルゴン、窒素、二酸化炭素などの流れである。
【０００９】
本発明は、層の部分が、ハフマン符号化（Ｈｕｆｆｍａｎ  ｃｏｄｉｎｇ）に基づいて、少なくとも２つのエネルギービームのうちの１つによって照射されるように割り当てられるという概念に基づいている。したがって、それぞれの装置は、造形材料を連続して層ごとに照射して少なくとも１つの物体を製造するために使用される少なくとも２つのエネルギービームを生成するように適合される。したがって、各層は、エネルギービーム、たとえばレーザビームによって選択的に照射され、それによって固化される。各照射ステップ後、それ以前に照射された造形材料層上へ、新しい造形材料の層を塗布することができる。
【００１０】
少なくとも２つのエネルギービームを最善に使用するために、特に造形プロセスで１つの物体だけが製造される場合、各層をいくつかの部分に細分することができる。また、少なくとも２つの物体が、同じ製造プロセスで、すなわち同じ装置の同じ造形平面上で製造される場合、少なくとも２つの物体の層全体をエネルギービームのうちの１つに割り当てることも可能である。当然ながら、２つ以上の物体を同時に製造するとき、これらの層をそれぞれの部分に細分し、エネルギービームのうちの１つに個々に割り当てることもできる。
【００１１】
各物体の製造プロセスを細分することができ、それにより、物体全体をエネルギービームのうちの１つに割り当てることができるし、又は、その割当ては、物体の各層に関して選択され、又は少なくとも１つの層を少なくとも２つの部分に細分することができ、それぞれの部分を異なるエネルギービームに割り当てることができる。便宜上、少なくとも１つの層の少なくとも２つの部分を異なるエネルギービームに割り当てる場合について、本出願全体にわたって記載するが、記載するすべての特徴、詳細、及び利点は、物体全体又は層全体がそれぞれのエネルギービームに割り当てられる他の場合にも完全に移行可能である。
【００１２】
本発明によれば、層の部分の割当ては、ハフマン符号化に基づいて行われる。したがって、層のそれぞれの部分を個々のエネルギービームによって照射されるように手動で割り当てる必要はなく、割当ては、自動的に実行することができる。したがって、エネルギービームの作業負荷の本質的に等しい配分を保証することができる。したがって、自動化された割当てにより、製造プロセス全体にわたってどのエネルギービームが少なくとも１つの物体の様々な層のどの部分を照射するかを規定する。本発明では、ハフマン符号化の原理が付加製造プロセスに移行され、従来の（型にはまった）ハフマン符号化のように単一記号の出現頻度を使用する代わりに、各部分の照射時間（書き出し時間）が使用される。したがって、エネルギービームのうちの１つが層のそれぞれの部分を照射するのにどれだけかかるかを事前に推定又は計算することができる。後述するように、その結果判定される書き出し時間が、割当てに対する基本を形成する。
【００１３】
したがって、製造すべき少なくとも１つの物体の単一層が細分され、これらの層を照射時間によって、すなわちその部分を照射するために必要とされる時間によって特徴付けることができる。したがって、エネルギービームによって照射されるように単一部分を割り当てるときは、対応する照射時間を考慮に入れ、ハフマン符号化に基づいて、利用可能なエネルギービームに対する作業負荷の配分が実行される。照射すべき部分の記載された配分は、好ましくは自動的に実行され、手動の割当ては必要ない。これにより、利用可能なエネルギービームに対して可能な限り等しい照射時間の配分が保証される。
【００１４】
この方法の第１の実施形態によれば、ハフマン木（Ｈｕｆｆｍａｎ  ｔｒｅｅ）が生成され、照射すべき層の少なくとも２つの部分が、それぞれの部分を照射するために必要とされる判定、特に推定又は計算された書き出し時間に応じて、ハフマン木の異なるノード及び／又は異なる部分木（ｓｕｂ−ｔｒｅｅ）に分類される。したがって、書き出し時間又は照射時間はそれぞれ、照射すべき層の各部分に対して推定又は計算することができる。エネルギービームがそれぞれの部分を照射するために必要とする判定された書き出し時間に応じて、これらの部分を特徴付けることができ、特に異なるノード内に分類することができ、且つ／又はこれらのノードをハフマン木の部分木にグループ化することができる。したがって、典型的なハフマン符号化と同様に、階層木構造を生成することができ、生成された（ハフマン）木は、複数のノード及び／又は複数の部分木を含む。これらの部分自体は、葉（ｌｅａｆ）と見なすことができ、根（ｒｏｏｔ）は、枝及び上述したノード（部分木）を介してこれらの葉に接続された製造プロセス全体と見なすことができる。
【００１５】
上述したように、ハフマン木は、
−  物体の層の少なくとも２つの部分に対する書き出し時間を判定するステップと、
−  判定された書き出し時間に応じて、ハフマン木内の照射すべき層の部分を分類するステップであって、照射すべき層の各部分が、ハフマン木内で葉を形成し、各葉が、少なくとも１つのノードを介してハフマン木の根に接続されるステップと、
−  これらのノードを部分木にグループ化するステップであって、最低の書き出し時間を有する葉を含むそれぞれ２つのノード及び／又は部分木が、一つの部分木にグループ化されるステップと、
−  １つの木だけが残るまで、これらのノード及び／又は部分木を部分木にグループ化するステップと、を実行することによって生成することができる。
【００１６】
したがって、物体は、第１のステップで、層及び／又は部分に分割することができ、次にこれらの層及び／又は部分を、利用可能なエネルギービームによって照射されるように配分することができる。典型的には、製造すべき少なくとも１つの物体に対する物体データ、たとえばスライスデータ又はＣＡＤ（コンピュータ支援設計）データが提供される。その後、それぞれの部分、層、又は物体に対する書き出し時間、すなわちエネルギービームがそれぞれの部分、層、又は物体を照射するために必要とされる書き出し時間を判定することができる。言い換えれば、書き出し時間は、それぞれのエネルギービームが対応する構造又はパターンをそれぞれ照射するのにどれだけ長く占有されるかを示す。
【００１７】
判定された書き出し時間に応じて、これらの部分をハフマン木内で分類することができる。それによって、単一部分は、ハフマン木の葉を形成し、ノードを介して（端を越えて）、製造プロセス又は造形ジョブ全体をそれぞれ表すハフマン木の根に接続される。さらに、葉がそこを介して（端を越えて）根に接続されるノードを、部分木にグループ化することができ、それにより最低の書き出し時間を有する葉を含む２つのノードが、１つの部分木に連続してグループ化される。この手順が繰り返され、１つの木（ハフマン木）だけが残るまで、２つのノード又は２つの部分木又は１つのノード及び１つの部分木がグループ化される。
【００１８】
この方法の別の実施形態によれば、生成されたハフマン木を部分木に分割することができ、部分木の数は、（利用可能及び／又は好適な）エネルギービームの数に等しい。したがって、利用可能なエネルギービームの数が考慮され、ハフマン木は、その部分木に分割され、各部分木を利用可能なエネルギービームのうちの１つに割り当てることができる。言い換えれば、各エネルギービームが、対応するエネルギービームに割り当てられた部分木内に葉として含まれる部分、層、又は物体を照射する。部分木への部分、層、又は物体の配分に基づいて、単一部分木に対する書き出し時間の等しい配分が保証される。したがって、単一部分木は、本質的に等しい書き出し時間を有する葉（部分、層、又は物体）を含む。当然ながら、１つの部分木内に含まれる部分及び／又は層は、同じ層／物体に属する必要はなく、異なる層／異なる物体に属することができる。
【００１９】
別の実施形態によれば、同じ製造プロセス内で少なくとも２つの物体が照射される場合、第１の物体及び少なくとも１つの他の物体の層のそれぞれの部分を、割り当てられたエネルギービームによって単独で照射することができる。したがって、すべての利用可能なエネルギービームが、上述したように、ハフマン符号化に基づいて、そのエネルギービームに割り当てられた部分、層、又は物体を照射することができる。したがって、個々のエネルギービームに部分、層、又は物体を手動で配分する必要はない。すべてのエネルギービームは、ハフマン符号化を介して、すなわち推定又は計算された書き出し時間に基づいて、割り当てられた各層（又は部分）を照射する。したがって、エネルギービームへの部分、層、又は物体の割当ては、単一層又は単一物体に制限されるものではなく、２つ以上の異なるエネルギービームが、同じ層又は物体の部分を同時に又は連続して照射することができる。
【００２０】
この方法の別の実施形態によれば、第１の物体のすべての部分は、第１のエネルギービームによって照射されるように全体として割り当てることができるとともに、少なくとも１つの他の物体のすべての部分は、少なくとも１つの他のエネルギービームによって照射されるように全体として割り当てることができる。したがって、たとえば書き出し時間又は製造プロセスの他のパラメータに応じて、異なるエネルギービームへの物体全体の割当てが可能である。
【００２１】
この方法は、物体の層の部分の製造時間が判定され、それによってそれぞれのエネルギービームへの部分又は物体の割当てが、総製造時間が最小になるように実行されることからさらに改善することができる。したがって、異なる利用可能なエネルギービームへの部分、層、又は物体の割当ては、製造プロセス全体の総製造時間を考慮に入れることができ、これには製造すべき複数の物体を含むことができる。したがって、総製造時間を最小にすることができる。したがって、照射すべき部分の配分は、製造されている現在の物体に制限されるものではなく、製造プロセス全体が考慮され、エネルギービームに割り当てられた部分又は物体は、総製造時間が最小になるようにこれらの利用可能なエネルギービームに割り当てられている。
【００２２】
異なるエネルギービームへの異なる部分の既存の特に完了した割当ては、少なくとも１つのアルゴリズムを使用してさらに最適化することができる。したがって、上述したように、ハフマン符号化に基づいて実行した方法の結果は、少なくとも１つのアルゴリズム、特に局所探索アルゴリズムを使用して最適化することができる。それぞれのアルゴリズムを使用することによって、極小値を見つけることを回避することができ、製造時間の全体的な最小値が見つけられるとともに、それに応じて部分が割り当てられることをさらに保証することができる。
【００２３】
この方法の別の実施形態は、物体の１つの部分が、それぞれの部分を照射することが可能なエネルギービームによって照射されるようにだけ割り当てられることを提案する。したがって、造形平面上のそれぞれの部分の位置、たとえば造形平面のうちそれぞれのエネルギービームによって照射することができる領域など、異なるエネルギービームの異なる特徴を考慮に入れることができる。記載の実施形態により、すべての部分を、造形平面のそれぞれの領域を照射するように適合されたエネルギービームだけに割り当てることができることを確実にすることが可能になる。たとえば、造形平面を複数の領域に細分することができ、異なるエネルギービームが異なる領域に（局所的に）割り当てられ、その結果、エネルギービームは、すべての領域、特にそのエネルギービームが照射するように適合されていない別の領域内に配置された部分を照射するように適合される可能性はない。上述したハフマン符号化に基づくそれぞれのエネルギービームへの割当ては可能であるが、記載のエネルギービームがその部分を照射するように適合されていないとき、別のエネルギービームを使用しなければならないはずであるため、おそらく製造時間の最小値が得られないはずである。
【００２４】
さらに、特に異なる造形材料を使用することによって、造形平面の異なる部分は、特有のエネルギービーム（異なるエネルギー、異なる波長、異なるスポットサイズ、異なるビーム源）でしか照射することができない可能性がある。記載の実施形態による方法は、それぞれのエネルギービームに割り当てられた部分をその（特有の）エネルギービームによって照射することができることを確実にする。
【００２５】
さらに、本発明は、少なくとも１つの３次元の物体の層の少なくとも１つの部分を、エネルギービームによって固化することができる造形材料の層を連続して層ごとに選択的に照射及び固化することによって付加製造されるように割り当てる方法に関し、少なくとも１つの物体が、造形平面内で物体の層を連続して照射することによって造形されており、この物体の少なくとも１つの層の少なくとも１つの部分は、第１のエネルギービームによって照射されるように割り当てられ、この物体の少なくとも１つの層の少なくとも１つの他の部分は、別のエネルギービームによって照射されるように割り当てられるとともに、層の部分は、ハフマン符号化に基づいて、少なくとも２つのエネルギービームのうちの１つによって照射されるように割り当てられる。
【００２６】
好ましくは、この方法は、３次元の物体を付加製造する少なくとも１つの装置を動作させる方法に関連して、特に事前に実行される。この装置を動作させる方法に関して記載するすべての特徴、詳細、及び利点は、少なくとも１つの３次元の物体の層の少なくとも１つの部分をそれぞれの装置によって付加製造されるように割り当てる方法に完全に移行可能であることが自明である。
【００２７】
さらに、本発明は、エネルギービームによって固化することができる造形材料の層を連続して層ごとに選択的に照射及び固化することによって３次元の物体を付加製造する装置に関し、この装置は、造形平面内で物体の層を連続して照射することによって少なくとも１つの物体を製造するために、少なくとも２つのエネルギービームを生成するように構成された少なくとも１つのビーム生成ユニット、又はそれぞれ少なくとも１つのエネルギービームを生成するように構成された少なくとも２つのビーム生成ユニットを備え、この物体の少なくとも１つの層の少なくとも１つの部分は、第１のエネルギービームによって照射されるように割り当てられ、この物体の（少なくとも）１つの層の少なくとも１つの他の部分は、別のエネルギービームによって照射されるように割り当てられ、ハフマン符号化に基づいてこれらの部分を少なくとも２つのエネルギービームに割り当てるように構成された制御ユニットが設けられる。
【００２８】
当然ながら、装置を動作させる方法及び少なくとも１つの３次元の物体の少なくとも１つの層の少なくとも１つの部分をそれぞれの装置によって付加製造されるように割り当てる方法に関して記載するすべての特徴、詳細、及び利点は、本発明の装置に完全に移行可能である。特に、本発明の装置は、本発明の方法を実行するように適合される。
【００２９】
本発明の例示的な実施形態について、図を参照して説明する。これらの図は概略図である。
【図面の簡単な説明】
【００３０】
【図１】本発明の装置を示す図である
【図２】本発明の方法の結果として階層木を示す図である。
【発明を実施するための形態】
【００３１】
図１は、造形材料の層６を連続して層ごとに選択的に照射及び固化することによって３次元の物体２〜５を付加製造する装置１を示す。
【００３２】
装置１は、たとえばエネルギービーム１２、たとえば電子ビーム又はレーザビームを生成するように適合されたレーザダイオードなどのビーム源を備える４つのビーム生成ユニット８〜１１と、生成されたエネルギービーム１２を造形平面１３上へ、造形平面１３内を延びるビーム経路（図示せず）に沿って案内するように適合された対応するビーム案内ユニット（図示せず）とを備える照射デバイス７をさらに備える。
【００３３】
照射デバイス７は、制御ユニット４４によって制御され、制御ユニット４４は、単一ビーム生成ユニット８〜１１及び対応するビーム案内ユニットを制御するように適合される。各ビーム生成ユニット８〜１１は、少なくとも１つのエネルギービーム１２を生成するように適合され、各ビーム生成ユニット８〜１１はまた、２つ以上のエネルギービーム１２を同時に生成するように適合されることも可能である。制御ユニット４４は、物体２〜５のうちの１つの層６の少なくとも１つの部分をビーム生成ユニット８〜１１のうちの１つに割り当てるようにさらに適合される。言い換えれば、制御ユニット４４は、ビーム生成ユニット８〜１１のうちの１つによって生成されるエネルギービーム１２を使用してどの物体２〜５のどの層６又はそのどの部分が照射されるかを規定する。物体２〜５のうち製造プロセスでまだ製造されていない部分は、図１に破線として示す。
【００３４】
制御ユニット４４が実行する割当ては、ハフマン符号化（Ｈｕｆｆｍａｎ  ｃｏｄｉｎｇ）に基づいて行われ、特に製造プロセス前又は製造プロセス中に、物体２〜５は層６の部分に分割され、層６は、それぞれの部分に細分される。単一ビーム生成ユニット８〜１１の作業負荷の割当ては、総製造時間の全体的な最小値を見つけることに関して実行される。ビーム生成ユニット８〜１１に対する物体２〜５の書き出し時間の不均一な配分を回避するために、制御ユニット４４は、ハフマン符号化に基づいて層６の部分の割当てを実行する。物体２〜５は、特にその形状及び／又は横断面及び／又は寸法に関して、互いに異なる可能性があり、物体２〜５の層６の対応する部分は、異なる書き出し時間を必要とする。
【００３５】
ハフマン符号化が基本を形成する異なるビーム生成ユニット８〜１１への層６の部分１６〜３１（図２）の割当てについて、図２に関して詳細に説明する。便宜上、部分１６〜３１の総数は、１６だけとする。当然ながら、各物体２〜５の層６の数は、１６という数を超過するはずであり、したがって部分１６〜３１の数を超過するはずである。
【００３６】
図２は、例示的なハフマン木（Ｈｕｆｆｍａｎ  ｔｒｅｅ）１４を示す。葉１５は、物体２〜５の層６の１６個の部分１６〜３１に相当する。各物体２〜５の直径又は横断面はそれぞれ異なる可能性があり、又は造形方向（造形平面１３に本質的に直交する）に変動する可能性があるため、異なる層６及び異なる物体２〜５は、異なる書き出し時間を必要とする。したがって、１つの物体２〜５を１つのビーム生成ユニット８〜１１に割り当てる結果、ビーム生成ユニット８〜１１に対する書き出し時間の配分が不均一になるはずである。この例示的な実施形態による書き出し時間は、図２に示すように、例示的であると理解されるべきであり、上述したように、物体２〜５のうちの１つにおける層６のそれぞれの部分１６〜３１の様々なパラメータに依存する。
【００３７】
言い換えれば、すべての物体２〜５の層６は、部分１６〜３１に細分されて、ビーム生成ユニット８〜１１のうちの１つによって生成されるエネルギービーム１２のうちの１つに独立して割り当てられる。したがって、制御ユニット４４は、各部分１６〜３１に必要とされる書き出し時間を推定又は計算し、ハフマン木１４が生成される。
【００３８】
ハフマン木１４を生成するために、部分１６〜３１を部分木に分類する必要があり、最低の判定された書き出し時間を有するそれぞれ２つの部分１６〜３１が、１つのノードにグループ化されるとともに１つの部分木内に含まれる。たとえば、部分１６〜２１はそれぞれ、１秒の書き出し時間を必要とし、部分２２〜２６はそれぞれ、２秒の書き出し時間を必要とし、部分２７は、４秒の書き出し時間を必要とし、部分２８は、３秒の書き出し時間を必要とし、部分２９は、５秒の書き出し時間を必要とし、部分３０は、４秒の書き出し時間を必要とし、部分３１は、９秒の書き出し時間を必要とする。この結果、４つのビーム生成ユニット８〜１１に対して４１秒の総書き出し時間を配分する必要がある。
【００３９】
したがって、ノード１６〜２１をグループ化する結果、部分木３２、３３、及び３４が得られ、したがって、部分木３２、３３、及び３４を接続する各ノードは、その結果得られる２秒の書き出し時間を有する部分１６〜２１を含む。さらに、部分２２は部分木３２とグループ化され、その結果、部分木３５が得られる。したがって、部分２３及び２４並びに部分２５及び部分木３３がグループ化され、その結果、部分木３６、３７が得られる。たとえば部分木３５は、２秒の書き出し時間を有する部分木３２及び２秒の書き出し時間を有する部分２２を含むため、部分木３５、３６はそれぞれ、４秒の製造時間を必要とする部分を含む。
【００４０】
さらに、部分木３４は、部分２６とグループ化されて部分木３８を形成し、部分２８、２７は、部分木３９にグループ化される。部分木４０は、部分木３５を部分２９とグループ化することによって構築され、部分木４１は、部分３０を部分木３６とグループ化することによって形成される。部分木４２は、部分木３８及び部分木３７を組み合わせることによって得られ、部分木４３は、部分木３９を部分３１と組み合わせることで構築される。
【００４１】
次に、部分木４０〜４３を含む第３の層内でハフマン木１４を分割することによって、４つのビーム生成ユニット８〜１１に対して４１秒の総製造時間が配分される。したがって、生成されたハフマン木１４は、ビーム生成ユニット８〜１１に割り当てられた部分木に分離される。たとえば、部分木４０は、９秒の総書き出し時間を有するビーム生成ユニット８に割り当てられ、部分木４１は、８秒の総書き出し時間を有するビーム生成ユニット９に割り当てられ、部分木４２は、８秒の総書き出し時間を有するビーム生成ユニット１０に割り当てられ、部分木４３は、１６秒の総書き出し時間を有するビーム生成ユニット１１に割り当てられる。
【００４２】
したがって、４１秒の総製造時間は、ビーム生成ユニット８〜１１に対して本質的に等しく配分され、その結果、製造プロセスは１６秒で完了する。その結果得られる配分は、局所探索アルゴリズムなどのアルゴリズムを使用してさらに改善することができる。
【００４３】
局所探索を使用して、３秒の書き出し時間を有する元の部分２８、現在は合計１６秒の書き出し時間を有する部分木４３の一部である部分木３９の一部を、合計８秒の書き出し時間を有する部分木４１へ動かすことができ、その結果、作業負荷配分が改善される。この部分２８の動き（破線を介して示す）の結果、部分木４１は１１秒で完了し、部分木４３は１３秒で完了する。残りの書き出し時間は、部分木４０に対して９秒及び部分木４２に対して８秒であるため、製造プロセスは、ビーム生成ユニット８〜１１を同時に使用することで、１３秒で完了することができる。
【００４４】
この局所探索アルゴリズムは、すべてのビーム生成ユニット８〜１１における製造時間の最大値を低減させる作業負荷配分に対する新しい改善が見つかる限り、繰り返すことができる。
【符号の説明】
【００４５】
１  装置
２〜５  物体
６  層
７  照射デバイス
８〜１１  ビーム生成ユニット
１２  エネルギービーム
１３  造形平面
１４  ハフマン木
１５  葉
１６〜３１  部分
３２〜４３  部分木
４４  制御ユニット
【図１】
2019077943.tif 000003
【図２】
2019077943.tif 000004